(57)【特許請求の範囲】
【請求項１】
人体の股部に装着可能な装着部と、
前記人体の陰部に臨んで排泄物を受ける受け部と、
前記受け部に接続された開口部を介して前記排泄物を吸引する吸引パイプと、
前記吸引パイプ内をスライドすることにより前記排泄物を押し出すピストンとを備え、
前記ピストンは、前記排泄物を押し出した際に当該ピストン自体により前記開口部を覆い閉じるものであり、前記ピストンの先端部に、当該ピストンが開口部を覆ったときに当該ピストンの前方空間と後方空間とを連通状態とするバルブ機構を備え、前記ピストンの後方空間が、大気開放されたものである装着型排泄装置。
【請求項２】
前記バルブ機構は、前記ピストンの前方空間と後方空間とを連通する連通孔を有するピストン本体と、このピストン本体の前方で進退することにより前記連通孔を開閉するバルブと、このバルブが前記連通孔を閉じる方向に付勢するスプリングと、前記ピストン本体が前記開口部を覆った後に前記ピストン本体の前進を阻止して前記バルブのみを前進させるピストンストッパとから構成されたものである請求項１記載の装着型排泄装置。
【請求項３】
前記受け部の内面に沿って摺動することにより、前記受け部内の排泄物を前記開口部へ導く摺動板を備える請求項１または２に記載の装着型排泄装置。
【請求項４】
前記摺動板は、水または空気を噴射しながら摺動するものである請求項３記載の装着型排泄装置。
【請求項５】
前記摺動板は、弾性素材により形成されたものである請求項４記載の装着型排泄装置。
【請求項６】
前記摺動板がピストンロッドに連結されたピストンと、このピストンがスプリングを介して内装されたシリンダと、前記シリンダ内に水または空気を導入して前記ピストンを押し出す圧送機構とを備えた請求項３から５のいずれかに記載の装着型排泄装置。
【請求項７】
前記摺動板は、水または空気を噴射する噴射口を備えたものであり、
前記ピストンおよびピストンロッドは、前記シリンダ内に導入される水または空気を前記摺動板の噴射口まで導く導通孔を備えたものである請求項６記載の装着型排泄装置。
【請求項８】
前記開口部を開閉可能に覆うシャッタを備えた請求項１から７のいずれかに記載の装着型排泄装置。
【発明の詳細な説明】
【技術分野】
【０００１】
本発明は、病人や介護を必要とする患者等の人体に装着して排泄物を受ける装着型排泄装置に関する。
【背景技術】
【０００２】
病気、怪我や加齢等により、自力でトイレに行くことのできない病人や高齢者等が紙おむつを使用することがある。しかし、紙おむつを使用する場合には、排泄の度に取り替えが必要で、介護者にとって負担であるばかりでなく、使用者の自尊心を傷つける問題がある。このため、おむつのように人体の股部に装着可能な形状をした排泄装置が開発されており、排泄装置の内部に溜まった排泄物を外部からパイプを通じて吸引する排泄装置が提案されている（例えば、特許文献１〜３参照。）。
【０００３】
【特許文献１】特開平６−５４８７４号公報
【特許文献２】特開２００５−６６０１１号公報
【特許文献３】特開２００２−５８６９２号公報
【発明の開示】
【発明が解決しようとする課題】
【０００４】
ところが、従来の吸引式の排泄装置の場合、パイプの吸引取込口に落下した排泄物は上手く吸引して取り込むことができるものの、パイプの吸引取込口から離れた場所に落下した排泄物を吸引できないという問題が発生している。この問題は吸引装置の出力を高めても解決できず、結局は人手によって除去することになる。
【０００５】
そこで、本発明においては、排泄装置内部に排泄物を残すことなく排出することが可能な装着型排泄装置を提供することを目的とする。
【課題を解決するための手段】
【０００６】
本発明の装着型排泄装置は、人体の股部に装着可能な装着部と、人体の陰部に臨んで排泄物を受ける受け部と、受け部に接続された開口部を介して排泄物を吸引する吸引パイプとを備え、吸引パイプは、当該吸引パイプ内をスライドすることにより開口部を覆うとともに排泄物を押し出すピストンを備えたものである。
【０００７】
本発明の装着型排泄装置によれば、人体の股部に装着されて受け部に受けた排泄物を、受け部に接続された開口部を介して吸引パイプにより吸引する際、ピストンのスライド動作によって開口部が覆われることにより、吸引パイプと受け部との間が密閉状態となる。これにより、この吸引パイプ内を吸引すれば、吸引パイプ内の排泄物を残らず取り除くことができる。
【０００８】
また、本発明の装着型排泄装置は、ピストンの先端部に、当該ピストンが開口部を覆ったときに当該ピストンの前方空間と後方空間とを連通状態とするバルブ機構を備え、ピストンの後方空間が、大気開放されたものであることが望ましい。これにより、ピストンの前進によって開口部が覆われた際に、ピストンの前方空間と大気開放された後方空間とが連通状態となるので、吸引パイプ内から排泄物を吸引する際にピストンの後方空間から空気が引き込まれ、この空気とともに排泄物を軽い吸引力で吸引することが可能となる。
【０００９】
また、バルブ機構は、ピストンの前方空間と後方空間とを連通する連通孔を有するピストン本体と、このピストン本体の前方で進退することにより連通孔を開閉するバルブと、このバルブが連通孔を閉じる方向に付勢するスプリングと、ピストン本体が開口部を覆った後にピストン本体の前進を阻止してバルブのみを前進させるピストンストッパとから構成されたものであることが望ましい。
【００１０】
通常はスプリングの付勢力によりバルブは連通孔を閉じているが、ピストン本体が前進して開口部を覆った後に、ピストンストッパによりピストンの前進が阻止されることで、バルブのみが前進する。これにより、ピストンの前方空間と後方空間とが連通状態となり、吸引パイプ内から排泄物を吸引する際にピストンの後方空間から空気が引き込まれ、この空気とともに排泄物を軽い吸引力で吸引することが可能となる。
【００１１】
また、本発明の装着型排泄装置は、受け部の内面に沿って摺動することにより、受け部内の排泄物を開口部へ導く摺動板を備えるものであることが望ましい。
【００１２】
これにより、人体の股部に装着されて受け部に受けた排泄物を、受け部に接続された開口部を介して吸引パイプにより吸引する際、摺動板が受け部の内面に沿って摺動し、受け部内の排泄物を開口部へと導き、吸引パイプにより残らず吸引して取り込むことができる。
【００１３】
ここで、摺動板は、水または空気を噴射しながら摺動するものであることが望ましい。これにより、摺動板の摺動によって受け部内の排泄物を開口部へ導く際、摺動板から噴射される水または空気によって受け部内の排泄物を刮ぎ落とすことができ、受け部内の排泄物を綺麗に取り除くことが可能となる。特に、水の噴射によるものであれば、受け部内の水洗効果も得られるので、受け部内の排泄物をさらに綺麗に取り除くことができる。
【００１４】
また、摺動板は、弾性素材により形成されたものであることが望ましい。摺動板が弾性素材であることにより、受け部の内面に沿って摺動する際、摺動板が撓むことで受け部の内面に密着して摺動するので、受け部の内面に付着した排泄物を残らず刮ぎ落とすことが可能となる。
【００１５】
また、本発明の装着型排泄装置は、摺動板がピストンロッドに連結されたピストンと、このピストンがスプリングを介して内装されたシリンダと、シリンダ内に水または空気を導入してピストンを押し出す圧送機構とを備えたものであることが望ましい。これにより、圧送機構によりシリンダ内に水または空気を導入することで、ピストンとともに摺動板を前進させることができる。また、このピストンの前進により圧縮または伸長したスプリングの反力によって、ピストンとともに摺動板を後退させることができる。
【００１６】
また、摺動板は、水または空気を噴射する噴射口を備えたものであり、ピストンおよびピストンロッドは、シリンダ内に導入される水または空気を摺動板の噴射口まで導く導通孔を備えたものであることが望ましい。これにより、圧送機構によりシリンダ内に水または空気を導入すると、この導入された水または空気がピストンおよびピストンロッドの導通孔を介して摺動板の噴射口から噴射され、摺動板から噴射される空気または水によって受け部内の排泄物を刮ぎ落とすことができ、受け部内の排泄物を綺麗に取り除くことが可能となる。
【００１７】
また、本発明の装着型排泄装置は、開口部を開閉可能に覆うシャッタを備えたものであることが望ましい。これにより、吸引パイプにより吸引する際、シャッタを閉じることで、使用者の局部や陰部等が引き込まれるのを防止し、痛みや不快感等が生じるのを防止することができる。
【発明の効果】
【００１８】
（１）人体の股部に装着可能な装着部と、人体の陰部に臨んで排泄物を受ける受け部と、受け部に接続された開口部を介して排泄物を吸引する吸引パイプとを備え、吸引パイプが、当該吸引パイプ内をスライドすることにより開口部を覆うとともに排泄物を押し出すピストンを備えたものであることにより、ピストンのスライド動作のみによって、吸引パイプと受け部との間が密閉状態となり、吸引パイプ内を吸引することで排泄物を残らず取り除くことが可能となる。
【００１９】
（２）ピストンの先端部に、当該ピストンが開口部を覆ったときに当該ピストンの前方空間と後方空間とを連通状態とするバルブ機構を備え、ピストンの後方空間が、大気開放されたものであることにより、ピストンの前進によって開口部が覆われた際に、ピストンの前方空間と大気開放された後方空間とが連通状態となるので、吸引パイプ内から排泄物を吸引する際にピストンの後方空間から空気が引き込まれ、この空気とともに排泄物を軽い吸引力で吸引することが可能となり、小型で小出力の吸引装置を使用して低廉な装着型排泄装置を提供することができる。
【００２０】
（３）バルブ機構が、ピストンの前方空間と後方空間とを連通する連通孔を有するピストン本体と、このピストン本体の前方で進退することにより連通孔を開閉するバルブと、このバルブが連通孔を閉じる方向に付勢するスプリングと、ピストン本体が開口部を覆った後にピストン本体の前進を阻止してバルブのみを前進させるピストンストッパとから構成されたものであることにより、ピストン本体が前進して開口部を覆った後に、自動的にバルブが開いてピストンの前方空間と後方空間とが連通状態となり、吸引パイプ内から排泄物を吸引する際にピストンの後方空間から空気が引き込まれ、この空気とともに排泄物を軽い吸引力で吸引することが可能となる。
【００２１】
（４）受け部の内面に沿って摺動して受け部内の排泄物を開口部へ導く摺動板を備えることにより、受け部内の排泄物を摺動板によって開口部へと導き、吸引パイプにより吸引して取り込むことができるので、吸引パイプにより吸引する開口部から離れた位置に排泄物がある場合であっても、残らず吸引して取り込むことが可能となる。
【００２２】
（５）摺動板が、水または空気を噴射しながら摺動するものであることにより、摺動板の摺動によって受け部内の排泄物を開口部へ導く際、摺動板から噴射される水または空気によって受け部内の排泄物を刮ぎ落とすことができ、受け部内の排泄物を綺麗に取り除くことが可能となる。特に、水の噴射によるものであれば、受け部内の水洗効果も得られるので、受け部内の排泄物をさらに綺麗に取り除くことができる。
【００２３】
（６）摺動板が、弾性素材により形成されたものであることにより、受け部の内面に沿って摺動する際、摺動板が撓むことで受け部の内面に密着して摺動するので、受け部の内面に付着した排泄物を残らず刮ぎ落とすことが可能となり、受け部内の排泄物をさらに綺麗に取り除くことができる。
【００２４】
（７）摺動板がピストンロッドに連結されたピストンと、このピストンがスプリングを介して内装されたシリンダと、シリンダ内に水または空気を導入してピストンを押し出す圧送機構とを備えたものであることにより、簡単な構造により摺動板を摺動させることができ、低廉な装着型排泄装置を提供することができる。
【００２５】
（８）摺動板が、水または空気を噴射する噴射口を備えたものであり、ピストンおよびピストンロッドが、シリンダ内に導入される水または空気を摺動板の噴射口まで導く導通孔を備えたものであることにより、摺動板の摺動動作と水または空気の噴射動作を簡単な構造によって同時に行うことが可能となる。
【００２６】
（９）開口部を開閉可能に覆うシャッタを備えたものであることにより、吸引パイプにより吸引する際、シャッタを閉じることで、使用者の局部や陰部等が引き込まれるのを防止し、痛みや不快感等が生じるのを防止することができ、使用者の排泄行為を楽にすることができる。
【発明を実施するための最良の形態】
【００２７】
図１は本発明の実施の形態における装着型排泄装置の側面図、図２は図１の装着型排泄装置の一部切欠き側面図、図３は平面図、図４は図２の右側面図、図５は図１の吸引部を拡大した平面図、図６は図５のＡ−Ａ断面図、図７は図１の装着型排泄装置の斜視図、図８は摺動板の動作を示す斜視図、図９は摺動板の動作を示す平面図、図１０〜図１３は吸引パイプ内のピストンの動作を示す側面断面図である。なお、以下では、便宜上、図２の左側を前方、右側を後方として説明する。
【００２８】
図１において、本発明の実施の形態における装着型排泄装置１は、人体Ｂの股部に装着される装置本体２と、装置本体２に接続されて高圧空気を供給するコンプレッサ３と、装置本体２に接続されて高圧水を供給する水ポンプ４と、装置本体２に接続されて排泄物を吸引する吸引装置５等とから構成される。なお、図示例ではコンプレッサ３、水ポンプ４および吸引装置５を別々に示しているが、これらは一体的に形成されても良い。
【００２９】
図２および図３に示すように装置本体２は、人体Ｂの股部に装着可能な装着部１０と、人体Ｂの陰部に臨んで排泄物を受ける受け部１１と、受け部１１に接続された開口部１２を介して排泄物を吸引する吸引パイプ１３と、吸引パイプ１３の開口部１２の口縁に形成され、受け部１１内の排泄物を開口部１２へ導くガイド部１４と、吸引パイプ１３内でスライドするピストン１５と、ピストン１５を進退運動させるエアシリンダ１６と、受け部１１の内面に沿って摺動する摺動板１７等とを備える。
【００３０】
装着部１０は、人体Ｂが触れても炎症やアレルギ反応が起きない安全な素材でできており、防水性と通気性を有した生地でできている。また、臭い漏れを防止するために、外側をナイロンやビニールなどの素材で覆うことも可能である。また、装置本体２は、装着部１０を跨ぐようにして人体Ｂに装着されるので、装着部１０は、股部へフィットするように、人体に触れる部分は柔らかく、外側は硬質な素材で形成することも可能である。
【００３１】
受け部１１は、装着部１０の内部に備えられている。ガイド部１４は、装置本体２が人体に装着された場合に人体の局部（排泄器官の位置）に対向する位置となるように受け部１１の底部に接続されている。ガイド部１４は、受け部１１を介して排泄物を受け、ガイド部１４内部に排泄物を溜める。ガイド部１４は、本実施形態においては半球形状であるが、排泄物を溜めやすいような形状であれば良い。
【００３２】
吸引パイプ１３は、図５に示すように、ピストン１５が内装されて往復動する真っ直ぐな円管状のシリンダ部１３ａと、シリンダ部１３ａに接続され、シリンダ部１３ａから押し出された排泄物を、装置本体２の後方の終端部材１８に形成された排出口１９まで導出する排出部１３ｂとから構成される。シリンダ部１３ａの後方空間は、終端部材１８を貫通し、複数の貫通孔２０ａを設けたフィルタ２０（図４参照。）を介して大気に開放されている。
【００３３】
図１に示す吸引装置５は排出口１９に接続されている。吸引装置５は、ポンプ機能やバキューム機能を有し、吸引パイプ１３に吸引圧力を付加する。また、終端部材１８には、電磁弁（図示せず。）を介してコンプレッサ３が接続される空気出入口２１ａ，２１ｂが設けられている。空気出入口２１ａ，２１ｂは、エアシリンダ１６の両端部へそれぞれ接続されており、コンプレッサ３により供給する高圧空気の流路を空気出入口２１ａ，２１ｂのいずれかに制御することで、エアシリンダ１６に内装されたピストン（図示せず。）を往復動作させるためのものである。なお、このピストンに連結されたピストンロッド１６ａは、連結部材１６ｂによってピストン１５に連結されている。
【００３４】
ピストン１５は、ピストン本体１５ａと、バルブ１５ｂと、ピストン本体１５ａをバルブ１５ｂ側へ付勢するスプリング１５ｃと、バルブ１５ｂに連結されたロッド１５ｄ等とから構成される。ピストン本体１５ａには、ピストン１５の前方空間と後方空間とを連通する連通孔１５ｅが形成されている。バルブ１５ｂは、このピストン本体１５ａの前方で進退することにより連通孔１５ｅを開閉するものである。スプリング１５ｃがピストン本体１５ａをバルブ１５ｂ側へ付勢するので、通常はバルブ１５ｂが連通孔１５ｅを閉じている。エアシリンダ１６の連結部材１６ｂはシリンダ部１３ａに形成された溝１３ｃを通じてロッド１５ｄに連結されている。
【００３５】
摺動板１７は、受け部１１の内面に密着して摺動するように、受け部１１の内面に沿った形状、例えば略半月状に形成されたものである。なお、本実施形態においては、摺動板１７は、シリコンゴム等の柔軟な弾性素材により形成されている。摺動板１７の両端部には、シリンダ３０にスプリング３３を介して内装されたピストン３１のピストンロッド３２が連結されている。また、シリンダ３０には、電磁弁（図示せず。）を介して水ポンプ４が接続されるホース３４が連結されている。
【００３６】
このホース３４を通じてシリンダ３０内に高圧水を導入し、ピストン３１を押し出すことで、摺動板１７は図８（ｂ）および図９（ｂ）に示すように前進する。また、摺動板１７の後退は、このピストン３１の押し出しによって圧縮されたスプリング３３の反力によって行われ、摺動板１７は図８（ａ）および図９（ａ）に示す元の位置へと戻る。電磁弁を制御してこのような動作を繰り返し行うことにより、摺動板１７を受け部１１の内面に沿って摺動させ、受け部１１内の排泄物を、ガイド部１４を通じて開口部１２へと導く。
【００３７】
また、摺動板１７の下面には、水を噴射する噴射口１７ａが複数設けられている。摺動板１７の内部には、各噴射口１７ａへ水を導く導通孔１７ｂが形成されている。ピストン３１およびピストンロッド３２にも、この導通孔１７ｂに連通された導通孔３２ａが形成されている。この導通孔３２ａは、ピストン３１を貫通してシリンダ３０のホース３４により高圧水が導入される側に連通されている。したがって、前述のようにホース３４を通じてシリンダ３０内に高圧水を導入した際、高圧水は導通孔３２ａおよび１７ｂを通じて各噴射口１７ａから噴射される。
【００３８】
なお、水ポンプ４は、終端部材１８の吸水口２２に連結される。水ポンプ４により吸水口２２へ導入された高圧水は、前述のホース３４の他、受け部１１内部にも給水される。受け部１１に給水されることで、受け部１１に溜まっている排泄物が柔らかくなり、吸引パイプ１３により排泄されやすくなる。また、受け部１１の洗浄もできる。このため、水ポンプ４より給水される水が、洗浄成分を含むものであれば、洗浄効果も高くなる。
【００３９】
次に、上記構成の装着型排泄装置１の動作について説明する。
装置本体２は人体Ｂの股部に装着される。装置本体２が人体Ｂに装着されると、排泄器官である陰部に対向するように、ガイド部１４が位置する。このとき、ピストン１５は、図１１に示すようにシリンダ部１３ａの後方に位置し、シリンダ部１３ａの開口部１２は開いている。排泄物は、通常、ガイド部１４に排泄され、開口部１２からシリンダ部１３ａ内へと落下するが、ガイド部１４からはみ出て受け部１１内に排泄されることもある。ここで、水ポンプ４を動作させ、受け部１１内部に給水することにより、受け部１１内が洗浄されるとともに、排泄物はガイド部１４内へと流れていく。
【００４０】
また、水ポンプ４によりホース３４を通じてシリンダ３０へ高圧水を導入し、ピストン３１を押し出すことで、図８および図９に示すように、摺動板１７を前進させながら噴射口１７ａから高圧水を噴射させる。これにより、受け部１１内の排泄物は、摺動板１７から噴射される高圧水と受け部１１の内面に密着して摺動する摺動板１７により刮ぎ落とされ、ガイド部１４へと導かれる。また、シリンダ３０へ導入する高圧水の圧力が低下すると、スプリング３３の反力により摺動板１７が後退し、同様に受け部１１内の排泄物が刮ぎ落とされる。
【００４１】
そして、排泄が終了すると、エアシリンダ１６を動作させ、ピストン１５を前進させる。ピストン１５は図１０に示す位置から図１１に示す状態を経て図１２に示す位置まで移動する。これにより、シリンダ部１３ａの開口部１２が閉じられるとともに、シリンダ部１３ａ内の排泄物が洗浄水とともに排出部１３ｂへと押し出される。また、このとき、ピストン１５のバルブ１５ｂは閉じた状態であり、排泄物は連通孔１５ｅへ浸入することなく、すべて排出部１３ｂへと押し出される。
【００４２】
そして、ピストン１５を図１２に示す状態からさらに図１３に示す状態へと前進させる。このとき、ピストン本体１５ａは、シリンダ部１３ａ内に形成された段差状のピストンストッパ１３ｄ（図１０参照。）によって前進が阻止されるので、スプリング１５ｃが圧縮されてバルブ１５ｂのみが前進する。これにより、図１３に示すように、ピストン本体１５ａの連通孔１５ｅが開放され、ピストン１５の前方空間と後方空間とが連通状態となる。
【００４３】
次に、この状態で吸引装置５を動作させ、吸引パイプ１３内の排泄物および洗浄水を吸引する。このとき、吸引パイプ１３の開口部１２は閉じられているので、吸引装置５により吸引パイプ１３内へ加えられる吸引圧力は人体Ｂの陰部などに及ばない。このため、従来の装着型排泄装置のように、排泄物の吸引時に加わる圧力による不快感や痛みなどが生じず、使用者が快適に排泄行為を行うことができる。
【００４４】
また、吸引装置５による吸引時にピストン１５の前方空間と後方空間とが連通状態となっているので、吸引パイプ１３内から排泄物を吸引する際にピストン１５の後方空間からフィルタ２０を通じて空気が引き込まれるので、排泄物はこの空気とともに吸引される。なお、バルブ１５ｂの前進は、エアシリンダ１６により行わずに、吸引装置５の吸引力によって行う構成とすることも可能である。
【００４５】
そして、排泄物の吸引が完了すると、エアシリンダ１６を逆方向に動作させ、図１０に示す位置まで戻す。ここで、ピストン本体１５ａがピストンストッパ１３ｄから離れると、スプリング１５ｃの反力によってバルブ１５ｂが後退し、ピストン本体１５ａの連通孔１５ｅが閉じられる。
【００４６】
以上のように、本実施形態における装着型排泄装置１では、自立的な排泄行為が困難な使用者が、不快感や痛みを感じることなく、他人の介護なしに排泄行為を行うことができる。特に、この装着型排泄装置１では、摺動板１７によって受け部１１内の排泄物を開口部１２へと導き、吸引装置５により吸引して取り込むことができるので、開口部１２から離れた位置に排泄物がある場合であっても、残らず吸引して取り込むことが可能である。これにより、従来、開口部１２から離れていた排泄物を残らず取り込むには、真空装置等の強力な吸引力を使用しても限界があったが、この装着型排泄装置１では低出力の吸引装置５で排泄物を残らず取り込むことができるので、吸引時の騒音が少なくなるうえ、低廉な装着型排泄装置１を実現できる。
【００４７】
また、本実施形態における装着型排泄装置１では、摺動板１７が水を噴射しながら受け部１１内を摺動するので、摺動板１７の摺動によって受け部１１内の排泄物を開口部１２へ導く際、摺動板１７から噴射される水によって受け部１１内の排泄物を刮ぎ落とすことができ、受け部１１内の排泄物を綺麗に取り除くことが可能である。なお、本実施形態においては、水圧によって摺動板１７の摺動と噴射口１７ａからの噴射を行っているが、高圧水に代えて高圧空気を用いることも可能である。なお、水を用いた場合には、受け部１１内の水洗効果も得られるので、受け部１１内の排泄物をさらに綺麗に取り除くことができるので望ましい。
【００４８】
また、この摺動板１７は、弾性素材により形成されているので、受け部１１の内面に沿って摺動する際、摺動板１７が撓むことで受け部１１の内面に密着して摺動する。したがって、受け部１１の内面に付着した排泄物を残らず刮ぎ落とすことが可能であり、受け部１１内の排泄物をさらに綺麗に取り除くことが可能である。なお、摺動板１７は受け部１１の内面に沿って摺動すれば良いので、プラスチックや金属などの硬い素材を用いることも可能である。
【００４９】
また、本実施形態における摺動板１７は、両端部に設けたシリンダ３０の両方へホース３４により高圧水を供給して動作させているが、いずれか一方へ供給することにより動作させることも可能である。また、スプリング３３をいずれか一方へ設けたり、スプリング３３をピストン３１の反対側へ設けたりすることも可能である。また、図２に示すように、この例では摺動板１７を装置本体２の前方から後方へ向かって伸縮させているが、逆に装置本体２の後方から前方へ向かって伸縮させる構成とすることも可能である。
【００５０】
また、図示例では、シリンダ３０、ピストン３１およびピストンロッド３２が直線状であるが、これらを曲面状の受け部１１の内面に合わせて曲線状に構成することも可能である。あるいは、シリンダ３０、ピストン３１およびピストンロッド３２をゴムチューブ等の柔軟な素材により構成することで、受け部１１の内面に沿って曲線状に変形させることも可能である。
【００５１】
また、本実施形態においては、摺動板１７へシリンダ３０、ピストン３１およびピストンロッド３２を通じて高圧水を供給し、噴射口１７ａから噴射する構成としているが、これらとは別の流路を構成して摺動板１７の噴射口１７ａから噴射させることも可能である。また、摺動板１７以外の場所から高圧水を受け部１１やガイド部１４内に噴射する構成とすることも可能である。
【００５２】
また、本実施形態における装着型排泄装置１では、吸引パイプ１３のシリンダ部１３ａ内でピストン１５を前進動作させるだけで開口部１２の閉塞と排出部１３ｂへの排泄の押し出しが完了するので、開口部１２を覆うシャッタを別に設ける必要がなくなり、部品点数が少なくて済む。また、開口部１２が覆われることにより気密状態となったシリンダ部１３ａ内は、ピストン１５の先端部のバルブ１５ｂが開くことで、ピストン１５の前方空間と大気開放された後方空間とが連通状態となるので、吸引装置５による吸引時に吸引パイプ１３内の気圧が低下して排泄物が円滑に吸引されなくなることを防止することができ、排泄物を軽い吸引力で吸引することが可能である。
【００５３】
また、この装着型排泄装置１は、装着部１０を人体Ｂの股部に直接装着する構成であるが、従来と同様、パンツ型として脚を通して装着する構成とすることも可能である。また、人体Ｂの股部に装着した際にずれることがないようにバンド等を用いて固定する構成とすることも可能である。
【産業上の利用可能性】
【００５４】
本発明の装着型排泄装置は、病人や介護を必要とする患者等の人体に装着して排泄物を受ける排泄装置として有用である。
【図面の簡単な説明】
【００５５】
【図１】本発明の実施の形態における装着型排泄装置の側面図である。
【図２】図１の装着型排泄装置の一部切欠き側面図である。
【図３】図１の装着型排泄装置の平面図である。
【図４】図２の右側面図である。
【図５】図１の吸引部を拡大した平面図である。
【図６】図５のＡ−Ａ断面図である。
【図７】図１の装着型排泄装置の斜視図である。
【図８】摺動板の動作を示す斜視図である。
【図９】摺動板の動作を示す平面図である。
【図１０】吸引パイプ内のピストンの動作を示す側面断面図である。
【図１１】吸引パイプ内のピストンの動作を示す側面断面図である。
【図１２】吸引パイプ内のピストンの動作を示す側面断面図である。
【図１３】吸引パイプ内のピストンの動作を示す側面断面図である。
【符号の説明】
【００５６】
１  装着型排泄装置
２  装置本体
３  コンプレッサ
４  水ポンプ
５  吸引装置
１０  装着部
１１  受け部
１２  開口部
１３  吸引パイプ
１３ａ  シリンダ部
１３ｂ  排出部
１３ｃ  溝
１３ｄ  ピストンストッパ
１４  ガイド部
１５  ピストン
１５ａ  ピストン本体
１５ｂ  バルブ
１５ｃ  スプリング
１５ｄ  ロッド
１５ｅ  連通孔
１６  エアシリンダ
１６ａ  ピストンロッド
１６ｂ  連結部材
１７  摺動板
１７ａ  噴射口
１７ｂ  導通孔
１８  終端部材
１９  排出口
２０  フィルタ
２０ａ  貫通孔
２１ａ，２１ｂ  空気出入口
２２  吸水口
３０  シリンダ
３１  ピストン
３２  ピストンロッド
３２ａ  導通孔
３３  スプリング
３４  ホース
【図１】
0004684280.tif 000002
【図２】
0004684280.tif 000003
【図３】
0004684280.tif 000004
【図４】
0004684280.tif 000005
【図５】
0004684280.tif 000006
【図６】
0004684280.tif 000007
【図７】
0004684280.tif 000008
【図８】
0004684280.tif 000009
【図９】
0004684280.tif 000010
【図１０】
0004684280.tif 000011
【図１１】
0004684280.tif 000012
【図１２】
0004684280.tif 000013
【図１３】
0004684280.tif 000014